(57)【要約】【課題】ファクシミリ受信に対して、外付け電話機が誤ってオフフックした後の転送をスムーズにするとともに、そうでなかった場合に迅速に回線を開放させるファクシミリ装置を提供する。【解決手段】外付け電話機でオフフックした後に、ファクシミリ送受信部を通信回線に接続させて画像データを受信する機能を備えたファクシミリ装置において、通信回線を外付け電話機からファクシミリ送受信部へ切替える回線切替手段と、ファクシミリ送受信部と通信回線との接続保持時間を予め設定している接続保持タイマと、外付け電話機がオフフックした後にオンフックになれば、上記通信回線をファクシミリ送受信部へ切替えると同時に、上記接続保持タイマを起動し、その後、該接続保持タイマがタイムアウトするより前に、ファクシミリ送受信部がＣＮＧ信号を受信したときには、ファクシミリ受信を開始する一方、そうでなければ上記回線保持を解除させて通信回線を遮断させる制御手段とを備えている。【選択図】図３
2005184699.tif 000002
【特許請求の範囲】
【請求項１】
外付け電話機でオフフックした後に、ファクシミリ送受信部を通信回線に接続させて画像データを受信する機能を備えたファクシミリ装置において、
通信回線を外付け電話機からファクシミリ送受信部へ切替える回線切替手段と、
ファクシミリ送受信部と通信回線との接続保持時間を予め設定している接続保持タイマと、
外付け電話機がオフフックした後にオンフックになれば、上記通信回線をファクシミリ送受信部へ切替えると同時に、上記接続保持タイマを起動し、その後、該接続保持タイマがタイムアウトするより前に、ファクシミリ送受信部がＣＮＧ信号を受信したときには、ファクシミリ受信を開始する一方、そうでなければ上記回線保持を解除させて通信回線を遮断させる制御手段とを備えるファクシミリ装置。
【請求項２】
請求項１において、
上記接続保持タイマは、ファクシミリ送受信部が通信動作中に回線を捕捉する回線捕捉時間よりも短い時間に設定されているファクシミリ装置。
【発明の詳細な説明】
【技術分野】
【０００１】
本発明は、外付け電話機でオフフックし後に、ファクシミリ送受信部で画像データを受信するファクシミリ装置に関する。
【背景技術】
【０００２】
従来、外付け電話機を接続したファクシミリ装置においては、外線からの呼出に応答して外付け電話機をオフフックして一旦通話状態にした後に、回線を保持したままでファクシミリ装置側で画像データを受信させるファクシミリ転送受信では、いわゆる６６転送か、オンフック転送を行っているのが通例である。
ここに、６６転送とは、外付け電話が通話状態のときに、番号「６６」を送信してＣＭＬリレーを閉じて、通信回線をファクシミリ送受信部と接続し、その後に外付け電話をオンフックするものである。ここで、外付け電話がパルス式であれば、通話相手に送信したパルスをファクシミリ装置側が誤検出して受信機能を起動させてしまう場合があり、また外付け電話がトーン式であれば、女性の声を「６６」のトーンとして誤検出してしまう場合があった。
また、一方のオンフック転送では、ファクシミリ装置が外付け電話機のオンフックを検知して、ＣＭＬリレーを閉じて、通信回線をファクシミリ送受信部と接続するが、この場合、外付け電話機による通話が終了した場合であっても、ファクシミリ送受信部が作動してしまい、ファクシミリ装置の回線捕捉タイマがタイムアップするまで、通信回線を捕捉してしまうなどの問題があった。
【０００３】
このような外付け電話機からの転送については、特許文献１では、オフフックの後に無音声端末を表す信号を監視して、ファクシミリ受信モードに切替えるファクシミリ装置を提案している。
また、特許文献２では、オフフックを検出中にファクシミリ起動信号すなわちＣＮＧ信号を検出すれば、ファクシミリ通信に切り替わるファクシミリ装置を提案している。
さらに、特許文献３では、ブランチ接続された電話機がオフフックされ、ＣＮＧ信号または無音を検出すれば、ファクシミリ受信動作を始めるファクシミリ装置を提案している。
【特許文献１】特開平５−４８８６５号
【特許文献２】特開平５−１４５６９５号
【特許文献３】特開平７−２８３９２１号
【発明の開示】
【発明が解決しようとする課題】
【０００４】
本発明は、従来のファクシミリ転送受信が上記のような問題点があることに着目して提案されたもので、特に、従来の方法では、オンフック動作が単に通話を終了した場合にでも、無用な時間の回線捕捉を行っていた問題を解決し得たファクシミリ装置を提案するものである。
【課題を解決するための手段】
【０００５】
上記課題を解決するために、本発明の請求項１では、外付け電話機でオフフックした後に、ファクシミリ送受信部を通信回線に接続させて画像データを受信する機能を備えたファクシミリ装置において、通信回線を外付け電話機からファクシミリ送受信部へ切替える回線切替手段と、ファクシミリ送受信部と通信回線との接続保持時間を予め設定している接続保持タイマと、外付け電話機がオフフックした後にオンフックになれば、上記通信回線をファクシミリ送受信部へ切替えると同時に、上記接続保持タイマを起動し、その後、該接続保持タイマがタイムアウトするより前に、ファクシミリ送受信部がＣＮＧ信号を受信したときには、ファクシミリ受信を開始する一方、そうでなければ上記回線保持を解除させて通信回線を遮断させる制御手段とを備えている。
【０００６】
請求項２では、請求項１において、上記接続保持タイマは、ファクシミリ送受信部が通信動作中に回線を捕捉する回線捕捉時間よりも短い時間に設定されている。
【発明の効果】
【０００７】
請求項１で提案したファクシミリ装置によれば、外付け電話機のオフフックのあと、オンフックを検出すれば、接続保持タイマを起動する。その後、接続保持タイマがタイムアウトするより前にＣＮＧ信号を受信したときには、ファクシミリ受信を開始するが、そうでなければ保持していた回線を直ちに遮断するので、ファクシミリ通信手順に従って、無用な通信動作を継続することが無く、迅速に回線を開放して、次のファクシミリ通信に備えることができる。
【０００８】
請求項２で提案したファクシミリ装置によれば、接続保持タイマは、ファクシミリ通信時の不用意な遮断をなくすため回線の接続保持時間を規定する回線捕捉タイマの設定時間よりも短く設定されているので、外付け電話機が単に通話を終了したような場合には、一層短い時間で回線を遮断することができる。
【発明を実施するための最良の形態】
【０００９】
以下、本発明の実施例を図について説明する。
【実施例１】
【００１０】
図１は、本発明の実施例としてのファクシミリ装置の基本構成を説明するブロック図である。
ファクシミリ装置１は、通信回線ＬＩＮＥを付属電話機ＴＥＬ１或いは外付け電話機ＴＥＬ２からファクシミリ送受信部２へ切替える回線切替手段を備えている。
ここに、回線切替手段は、主制御部７と、ＣＭＬリレー２２、Ｌ１リレー２３、Ｌ２リレー２４とを含んで構成され、それぞれのリレー接点を後述するように切替制御している。
ファクシミリ送受信部２は、ファクシミリ受信部とファクシミリ送信部とを組み合わせて構成されており、装置の制御をソフトウェア処理により実行する主制御部７と、そのソフトウェアのプログラムやデータを格納しているＲＯＭ８と、画像データや各設定を一時的に保持するＲＡＭ９と、後述する接続保持タイマ、回線捕捉タイマとして機能するプログラム可能なタイマ部１０と、操作パネルである操作部１１と、装置の機能情報を表示するＬＣＤパネルを有する表示部１２と、ファクシミリ通信手順信号、画像データを送受信するため変復調するためのモデム１３と、原稿画像を読み取る読取装置１４と、ファクシミリ受信した画像を記録紙へ記録印字する記録装置１５と、警告のために鳴動するスピーカ部１６とを備えている。
【００１１】
また、回線制御部３は、通信回線ＬＩＮＥを接続する回線端子４と、図示しない付属電話機ＴＥＬ１を接続する第１通信端子５と、図示しない外付け電話機ＴＥＬ２を接続する第２通信端子６を有し、回線端子４の極性反転を検出する極性反転検出回路１７と、回線端子４に送られて来る呼出信号を検出する着信検出回路１８と、回線端子４へダイヤルパルスを送出するダイヤルパルス送出回路１９と、回線端子４を絶縁してモデム１３へ接続させるトランス２０と、第１通信端子５を絶縁するとともに、トーン信号をモデム１３へ送受するトランス２１と、回線端子４とモデム１３とを接続、遮断するＣＭＬリレー２２と、回線端子４と第１通信端子５とを接続、遮断するＬ１リレー２３と、回線端子４と第２通信端子６とを接続、遮断するＬ２リレー２４と、付属電話機ＴＥＬ１のオフフック／オンフックを検出する第１ＯＨ検出回路２５と、外付け電話機ＴＥＬ２のオフフック／オンフックを検出する第２ＯＨ検出回路２６と、これらのＯＨ検出回路２５，２６を作動するために、第１通信端子５と第２通信端子６とに直流電圧を加える直流電圧源２７を備えている。ＣＭＬリレー２２、Ｌ１リレー２３、及びＬ２リレー２４の切替は主制御部７によって制御される。
【００１２】
ついで、本発明の基本動作について説明する。
図２Ａ、図２Ｂのフローチャートは、ファクシミリ送信動作を説明するものである。
待機中は、ＣＭＬリレー２２は、回線端子４を着信検出回路１８へ接続させているので、着信検出回路１８は、回線端子４に送られて来る呼出信号を検出することができる。
一方、Ｌ１リレー２３、Ｌ２リレー２４は、いずれも接点ａ側が閉じており、それぞれ第１通信端子５、第２通信端子６を直流電圧源２７へ接続させているので、第１ＯＨ検出回路２５は付属電話機ＴＥＬ１のオフフックを電流変化として検出し、第２ＯＨ検出回路２６は外付け電話機ＴＥＬ２のオフフックを電流変化として検出することができる。（図２Ａのステップ１０１→１０６）。
ここで、ファクシミリ送信を操作部１１からの指令を受付けると、読取装置１４によって原稿画像が読み取られ、その画像データがＲＡＭ９に一旦保存される。
その後、主制御部７は、ＣＭＬリレー２２を切替えて回線端子４とモデム１３とを接続し、ダイヤルパルス送出回路１９から送信先番号をダイヤルパルスで送出する。
呼出先が着信し、応答すると、ファクシミリ通信手順に従って、通信手順信号が送受され、送信先のファクシミリ装置との通信接続が確立すれば、ＲＡＭ５から画像データを読み出し、モデム１３により変調してファクシミリ送信を実行し、最後にＣＭＬリレー２２を開いて、通信回線を遮断する（図２Ｂのステップ２０１→２０５）。
また、待機中に、利用者が外付け電話機ＴＥＬ２をオフフックし、第２ＯＨ検出回路２６によってそのオフフックを検出したときには、Ｌ２リレー２４を切替えて、回線端子４と第２通信端子６とを接続させる。そして、外付け電話機ＴＥＬ２から通話先にダイヤルパルスが送出されて通話がなされるが、この動作は付属電話機ＴＥＬ１の場合も同様である。
【００１３】
図３のフローチャートは、ファクシミリ受信時の基本動作を説明するものである。
【００１４】
待機時に着信検出回路１８によって回線端子４への呼出信号を検出すれば、Ｌ１リレー２３を接点a側に切替えて、回線端子４と第１通信端子５とを接続させて付属電話機ＴＥＬ１から呼び出し音を鳴動させ、同時にＬ２リレー２４も接点a側に切替えて、回線端子４と第２通信端子６とを接続させ、外付け電話機ＴＥＬ２からも呼び出し音を鳴動させる。
そして、このとき、タイマ部１０を呼出タイマとして起動して、付属電話機ＴＥＬ１或いは外付け電話機ＴＥＬ２の呼出音の鳴動回数を計数し、その鳴動回数が設定した回数になれば、回線切替制御手段は、ＣＭＬリレー２２を回線端子４に接続する。
一方、利用者が外付け電話機ＴＥＬ２の鳴動音を聞いて、オフフックしたときには、第２ＯＨ検出回路２６によってそのオフフックを検出し、タイマ部１０を停止させる。
この受信が通話であれば、その後利用者によって通話がなされる（ステップ４０１→４０６及びステップ４１２，４１３）。
本発明のファクシミリ装置では、利用者は付属電話機ＴＥＬ１あるいは外付け電話機ＴＥＬ２をオフフックした後、特別の操作をせずにオンフックしたときに、回線切替手段を作動させて、モデム１３を通信回線４に接続させ、その後は、接続保持タイマを起動させて、ファクシミリ受信あるいは、接続した回線を遮断制御する点に特徴がある。
【００１５】
すなわち、第１ＯＨ検出回路２５或いは第１ＯＨ検出回路２６によって、オフフックが検出された後、更に、これらの検出回路２５，２６によってオンフックが検出されたときには、回線切替手段は、ＣＭＬリレー２２を切替えて、回線端子４をモデム１３に接続してから、Ｌ１リレー２３とＬ２リレー２４とを切替えて、第１通信端子５と第２通信端子６とを回線端子４から遮断して直流電圧源２７へ接続する。
次いで、タイマ部１０を接続保持時間に設定し、接続保持タイマとして起動する（ステップ４０７→４０８）。
そして、接続保持タイマがタイムアウトするより前に、モデム１３が回線端子４からＣＮＧ信号を受信検出したときには、ファクシミリ受信を開始するが（ステップ４１５→４１６）、そうでなければ、ＣＭＬリレー２２を切替えて、回線端子４とモデム１３とを遮断して、通信回線ＬＩＮＥを遮断する。そして、ファクシミリ受信が終了すれば、ＣＭＬリレー２２を切替えて、モデム１３と回線端子４との接続を開いて、回線を遮断する（ステップ４０９→４１１）。
なお、ＣＮＧ信号は、受信側からＣＥＤ信号、ＤＩＳ信号によって応答するまで、送信側から送出され続けるので、モデム１３は、そのＣＮＧ信号を確実に受信できる。
【００１６】
また、上記タイマ部１０は、ファクシミリ通信時には回線捕捉タイマとして機能し、回線捕捉時間を設定して使用されるが、この回線捕捉のタイムアウト時間は、通常３０〜４０秒に設定されているので、接続保持タイマの時間をそれより短く、例えば５秒とすれば、外付け電話機ＴＥＬ２が通話だけであったときのオンフック後の回線捕捉時間が短縮され、より早く次の着信に備えることができる。
【図面の簡単な説明】
【００１７】
【図１】本発明によるファクシミリ装置の実施例の基本構成を示すブロック図である。
【図２Ａ】ファクシミリ送信時の基本動作を説明するフローチャートである。
【図２Ｂ】ファクシミリ送信時の基本動作を説明するフローチャートである。
【図３】ファクシミリ受信時の基本動作を説明するフローチャートである。
【符号の説明】
【００１８】
１  ファクシミリ装置
２  その本体
３  ＮＣＵ
４  ライン端子
５  第１通話端子
６  第２通話端子
７  ＣＰＵ
１０  タイマ部
【図１】
2005184699.tif 000003
【図２Ａ】
2005184699.tif 000004
【図２Ｂ】
2005184699.tif 000005
【図３】
2005184699.tif 000006